(57)【要約】【課題】スパンドレルを用いた外壁材であるが、建物内部の断熱性を向上させることができ、外装施工のコストを削減することができる外壁材を提供する。【解決手段】  建物の躯体外壁１に沿って水平方向に複数連結され、建物の外装をなす外壁材である。この外壁材は、互いに隣接して躯体外壁に固定されるスパンドレル２Ａ，２Ｂ，２Ｃと、これらスパンドレルの内側に前記躯体外壁に沿って配置され、スパンドレルに一体に保持された断熱材１０とを備えている。【選択図】図１
2010053619.tif 000002
【特許請求の範囲】
【請求項１】
建物の躯体外壁に沿って水平方向に複数連結され、前記建物の外装をなす外壁材であって、
前記躯体外壁に固定されるスパンドレルと、
このスパンドレルの内側に前記躯体外壁に沿って配置され、前記スパンドレルに一体に保持された断熱材と、を備えていることを特徴とする外壁材。
【請求項２】
前記スパンドレルは、上下方向に延在する凸部及び凹部が水平方向に交互に連続してなる金属板材であり、これら凸部及び凹部の内面と前記断熱材との間に空気層が設けられていることを特徴とする請求項１記載の外壁材。
【請求項３】
前記スパンドレルの水平方向の端部に雄型連結部が形成され、当該スパンドレルに隣接する他のスパンドレルの端部に、前記雄型連結部に向けて水平方向に差し込むことにより前記雄型連結部に連結する雌型連結部が形成されていることを特徴とする請求項１又は２記載の外壁材。
【請求項４】
前記スパンドレルの端部に、前記躯体外壁に固定手段を介して固定される被固定部を設け、前記被固定部の近傍に水返し部が設けられていることを特徴とする請求項１乃至３の何れか１項に記載の外壁材。
【請求項５】
前記スパンドレルの水平方向の両端部に、前記断熱材の水平方向の両端部を板厚方向から着脱自在に保持する保持部が形成されていることを特徴とする請求項１乃至４の何れか１項に記載の外壁材。
【請求項６】
前記スパンドレル及び前記断熱材は、略同一の外郭形状の部材であり、
前記スパンドレルは、前記凹部及び凸部が連続する方向に沿って湾曲させて弾性変形させ、湾曲した頂部を前記断熱材の中央部に係合して弾性復帰させることで前記断熱材の端部を前記保持部で保持することを特徴とする請求項５記載の外壁材。
【発明の詳細な説明】
【技術分野】
【０００１】
本発明は、建物の躯体外壁に沿って水平方向に複数連結され、前記建物の外装をなす外壁材に関する。
【背景技術】
【０００２】
住宅、ビル等の建物の外壁施工として、建物の躯体外壁に、金属板の押出成形により形成したスパンドレルを、水平方向、上下方向に複数並べて取付けることで施工する方法が知られている（例えば、特許文献１）。
【特許文献１】特開平１０−２１９９６８号公報
【発明の開示】
【発明が解決しようとする課題】
【０００３】
しかし、従来のスパンドレルを使用した外壁施工は、外気の熱が、スパンドレルを介して直接躯体外壁に伝わるので、外気の温度変化による建物内部の断熱性の面で問題がある。
ここで、躯体外壁にシート状の断熱材を貼り付け、その後にスパンドレルを取付ける施工が考えられるが、断熱材の貼り付け作業に多くの時間と労力が費やされるので、施工コストの面で問題がある。
【０００４】
本発明は、上記のような従来技術が有する問題点を解決するためになされたものであり、スパンドレルを用いた外壁材であるが、建物内部の断熱性を向上させることができ、外装施工のコストを削減することができる外壁材を提供することを目的としている。
【課題を解決するための手段】
【０００５】
上記目的を達成するために、請求項１記載の発明は、建物の躯体外壁に沿って水平方向に複数連結され、前記建物の外装をなす外壁材であって、前記躯体外壁に固定されるスパンドレルと、このスパンドレルの内側に前記躯体外壁に沿って配置され、前記スパンドレルに一体に保持された断熱材とを備えた外壁材である。
ここで、前記スパンドレルは、上下方向に延在する凸部及び凹部が水平方向に交互に連続してなる金属板材であり、これら凸部及び凹部の内面と前記断熱材との間に空気層が設けられていることが好ましい。
【０００６】
また、前記スパンドレルの水平方向の端部に雄型連結部が形成され、当該スパンドレルに隣接する他のスパンドレルの端部に、前記雄型連結部に向けて水平方向に差し込むことにより前記雄型連結部に連結する雌型連結部が形成されていることが好ましい。
また、前記スパンドレルの端部に、前記躯体外壁に固定手段を介して固定される被固定部を設け、前記被固定部の近傍に水返し部が設けられていることが好ましい。
【０００７】
また、前記スパンドレルの水平方向の両端部に、前記断熱材の水平方向の両端部を板厚方向から着脱自在に保持する保持部が形成されていることが好ましい。
さらに、前記スパンドレル及び前記断熱材は、略同一の外郭形状の部材であり、前記スパンドレルは、前記凹部及び凸部が連続する方向に沿って湾曲させて弾性変形させ、湾曲した頂部を前記断熱材の中央部に係合して弾性復帰させることで前記断熱材の端部を前記保持部で保持するようにしてもよい。
【発明の効果】
【０００８】
本発明に係る外壁材によると、躯体外壁に固定されるスパンドレルの内側に、躯体外壁に沿って断熱材が配置されているので、スパンドレルに伝達された外気の熱は断熱材が遮断し、建物内部に外気の熱が伝達されにくくなるので、断熱性を高めた外装構造を提供することができる。
また、スパンドレルは断熱材を保持しているので、従来のように躯体外壁に断熱材を貼り付ける等の施工が不要となり、外壁施工の大幅なコスト削減を図ることができる。
【発明を実施するための最良の形態】
【０００９】
以下、本発明を実施するための最良の形態（以下、実施形態という。）を、図面を参照しながら詳細に説明する。
図１は、本発明に係る建物（住宅やビル）の外装構造の１実施形態を、水平方向の断面で示した図である。
本実施形態の外装構造は、建物の躯体外壁１に沿って水平方向に連結された複数の外壁材により構成されており、各外壁材は、躯体外壁１に固定した複数のスパンドレル２Ａ，２Ｂ，２Ｃと、これらスパンドレル２Ａ，２Ｂ，２Ｃに一体化されて躯体外壁１に沿って配置した複数の断熱材１０とを備えている。
【００１０】
スパンドレル２Ａ，２Ｂ，２Ｃは、金属板の押出成形により、上下方向に延在する凸部（外方に向けて２段に分けて突出した略台形状の部分）２ａ及び凹部（躯体外壁１に向けて突出した部分）２ｂが水平方向に交互に繰り返し形成された部材である。
スパンドレル２Ｂの水平方向の一方の端部には、図２に示すように、雌型連結部３及び被固定部４が一体に形成されており、スパンドレル２Ｂの水平方向の他方の端部には、図３に示すように、雄型連結部５が一体に形成されている。
【００１１】
スパンドレル２Ｂの水平方向の一方の端部に形成した雌型連結部３は、図２に示すように、第１雌型係合部３ａと第２雌型係合部３ａとで構成されている。第１雌型係合部３ａは、凸部２ａから連続してスパンドレル２Ｂの他方の端部側に折り曲げられ、且つ所定位置で折り返されて「く」の字形状に折り曲げられている。第２雌型係合部３ａは、この第１雌型係合部３ａから厚さ方向連結板８を介して離間した位置で第１雌型係合部３ａと略平行に延在しており、スパンドレル２Ｂの他方の端部側に折り曲げられ、且つ所定位置で折り返されて「く」の字形状に折り曲げられている。
【００１２】
被固定部４は、第２雌型係合部３ｂの端部からスパンドレル２Ｂの一方の端部の外方に延在した板部であり、躯体外壁１に当接して端部側が後述するビス１１により躯体外壁１に固定されるようになっている。
この被固定部４には、ビス１１により躯体外壁１に固定される位置より開放端部側に、躯体外壁１から離間する方向に湾曲形状に突出した水返し部７が形成されている。
【００１３】
スパンドレル２Ｂの水平方向の他方の端部に形成した雄型連結部５は、図３に示すように、第１雄型係合部５ａ、第２雄型係合部５ｂ及び一対の断熱材保持部５ｃ，５ｄを備えている。スパンドレル２Ｂの凸部２ａから他方の端部の外方に平板状の断熱材保持部５ｃが延在している。この断熱材保持部５ｃの端部と重なるように折り返すことで直線状の第１雄型係合部５ａが形成され、この第１雄型係合部５ａから厚さ方向連結板９を介して離間した位置で断熱材保持部５ｃと平行に延在するように断熱材保持部５ｄが折り曲げられて形成されている。この断熱材保持部５ｄから他方の端部の外方に延在して平板状の第２雄型係合部５ｂが設けられている。
【００１４】
そして、他のスパンドレル２Ａ，２Ｃも、上述したスパンドレル２Ｂと同一の構造とされている。
断熱材１０は、合成樹脂のビーズ発泡成形体など断熱性を有する材料からなり、スパンドレル２Ａ，２Ｂ，２Ｃの凸部２ａに入り込む凸部１０ａが一方の面に複数形成された板状部材である。
【００１５】
図４は、図１の符号Ｃで示す領域を拡大して示した図である。
スパンドレル２Ｂの一方の端部に設けた被固定部４は、躯体外壁１に当接されてビス１１を介して躯体外壁１に固定されている。スパンドレル２Ｂの雌型連結部３を構成する第１雌型係合部３ａ及び第２雌型係合部３ｂは、スパンドレル２Ｂの内側で躯体外壁１に沿って配置した断熱材１０の一方の端部の外周に当接し、断熱材１０の一方の端部を板厚方向から保持している。
【００１６】
また、スパンドレル２Ｂの第１雌型係合部３ａ及び第２雌型係合部３ｂの「く」の字形状の内部には、水平方向に隣接配置した（図１の右側に配置した）スパンドレル２Ｃの第１雄型係合部５ａ及び第２雄型係合部５ｂが差し込まれることで、スパンドレル２Ｂ，２Ｃ同士が連結されている。
そして、スパンドレル２Ｃの断熱材保持部５ｃ，５ｄは、スパンドレル２Ｃの内側で躯体外壁１に沿って配置した断熱材１０の他方の端部の外周に当接し、断熱材１０の他方の端部の他方の端部を板厚方向から保持している。
【００１７】
なお、詳細には図示していないが、スパンドレル２Ｂの他方の端部に設けた第１雄型係合部５ａ及び第２雄型係合部５ｂは、図１の左側に隣接配置したスパンドレル２Ａの第１雌型係合部３ａ及び第２雌型係合部３ｂの「く」の字形状の内部に差し込まれることで、スパンドレル２Ａ，２Ｂ同士が連結される。また、スパンドレル２Ｂの内側で躯体外壁１に沿って配置した断熱材１０の他方の端部は、スパンドレル２Ｂの他方の端部に設けた断熱材保持部５ｃ，５ｄにより板厚方向から保持されている。
ここで、本発明の固定手段がビス１１に対応し、本発明の保持部が第１雌型係合部３ａ、第２雌型係合部３ｂ、断熱材保持部５ｃ，５ｄに対応している。
【００１８】
次に、上記構成の外装構造の作用効果について説明する。
本実施形態の外装構造は、躯体外壁１とスパンドレル２Ａ，２Ｂ，２Ｃとの間に、複数の断熱材１０が配置されているので、スパンドレル２Ａ，２Ｂ，２Ｃに伝達された外気の熱を断熱材１０が遮断し、建物内部に外気の熱が伝達されにくくなり、断熱性を高めた外壁構造を提供することができる。
【００１９】
また、本実施形態は、上下方向に連続した凸部２ａ及び凹部２ｂが水平方向に交互に繰り返したスパンドレル２Ａ，２Ｂ，２Ｃを使用することにより、断熱材１０との間に凹凸形状の通気層が存在することになり、その凹凸形状の通気層が外壁構造内部の乾燥を促進するので、断熱材１０の断熱性能を長期に渡って維持することができる。
また、本実施形態は、各スパンドレル２Ａ，２Ｂ，２Ｃが断熱材１０を保持する構造としているので、従来のように躯体外壁１に断熱材を貼り付ける等の施工が不要となり、外壁施工の大幅なコスト削減を図ることができる。
【００２０】
また、水平方向に隣接するスパンドレル２Ｂ，２Ｃ同士は、一方の部材の端部に設けたスパンドレル２Ｂの第１雌型係合部３ａ及び第２雌型係合部３ｂに、水平方向に隣接配置したスパンドレル２Ｃの第１雄型係合部５ａ及び第２雄型係合部５ｂを差し込むことで連結されるので、スパンドレル２Ａ，２Ｂ，２Ｃ同士の連結も簡単に行うことができる。
また、スパンドレル２Ａ，２Ｂ，２Ｃの雌型連結部３（第１雌型係合部３ａ及び第２雌型係合部３ｂ）は、断熱材１０の端部を保持する機能と、隣接するスパンドレルの雄型連結部（第１雄型係合部５ａ及び第２雄型係合部５ｂ）と連結する機能とを有しており、一つの構成部で２つの機能を備えているので、スパンドレル２Ａ，２Ｂ，２Ｃの製造コストの低減化も図ることができる。
【００２１】
また、スパンドレル２Ａ，２Ｂ，２Ｃの被固定部４の端部に付着した雨水が毛細管現象や風圧によって第２雌型連結部３ｂに向かっても、湾曲形状に突出した水返し部７がビス１１により躯体外壁１に固定される位置に雨水が向かうのを遮断するので、躯体外壁１に雨水が浸入しない雨仕舞い構造を得ることができる。
さらに、断熱材１０は各スパンドレル２Ａ，２Ｂ，２Ｃの雌型連結部３、断熱材保持部５ｃ，５ｄにより着脱自在に挟持されているので、外壁構造の解体時、廃棄物の分別作業（スパンドレル２Ａ，２Ｂ，２Ｃと断熱材１０を別の廃棄物として分別する作業）や、スパンドレル２Ａ，２Ｂ，２Ｃ、断熱材１０のリサイクル利用を促進して環境問題に適した外壁材を提供することができる。
【００２２】
次に、図５は、スパンドレル２Ａに断熱材１０を一体化する手順を示すものである。
断熱材１０及びスパンドレル２Ａは、略同一の幅寸法（図５の左右方向の寸法）及び長さ寸法（紙面に直交する方向の寸法）を有している。
先ず、図５（ａ）に示すように、スパンドレル２Ａの幅方向中央部が断熱材１０の幅方向中央部に近接し、スパンドレル２Ａの幅方向両端部が断熱材１０の幅方向両端部に対して離間するように、スパンドレル２Ａ全体を円弧状に弾性変形させる。これにより、スパンドレル２Ａは、凸部２ａ、凹部２ｂの内部空間が拡がるように変形して幅寸法が僅かに増大する。
【００２３】
そして、断熱材１０の幅方向中央部の凸部１０ａに、スパンドレル２Ａの幅方向中央部の凸部２ａを係合させ、次いで、円弧形状のスパンドレル２Ａを元の状態に弾性復帰させていく。
次いで、図５（ｂ）に示すように、スパンドレル２Ａの一方の端部に形成した雌型連結部３（第１雌型係合部３ａ，第２雌型係合部３ｂ）及び他方の端部に形成した雄型連結部５の断熱材保持部５ｃ，５ｄで、断熱材１０の幅方向両端部を板圧方向から保持する。
【００２４】
このように、スパンドレル２Ａを円弧状に弾性変形させることで幅方向寸法を増大させ、このスパンドレル２Ａを断熱材１０の幅方向中央部から係合させることで、スパンドレル２Ａに断熱材１０を一体化することができるので、狭い施工現場においてスパンドレル２Ａに断熱材１０を一体化する場合であっても、スペースを取らずに簡単にスパンドレル２Ａ及び断熱材１０を一体化することができる。
【図面の簡単な説明】
【００２５】
【図１】本発明に係る外壁材を使用した外装構造を示す水平方向の断面図である。
【図２】本発明に係るスパンドレルの水平方向の一方の端部の構造を示す図である。
【図３】本発明に係るスパンドレルの水平方向の他方の端部の構造を示す図である。
【図４】図１の符号Ｃで示す領域を拡大して示した図である。
【図５】スパンドレル２Ａに断熱材１０を一体化する手順を示す図である。
【符号の説明】
【００２６】
１…躯体外壁、２Ａ，２Ｂ，２Ｃ…スパンドレル、２ａ…凸部、２ｂ…凹部、３…雌型連結部、３ａ…第１雌型係合部、３ｂ…第２雌型係合部、４…被固定部、５…雄型連結部、５ａ…第１雄型係合部、５ｂ…第２雄型係合部、５ｃ，５ｄ…断熱材保持部、７…水返し部、８，９…厚さ方向連結板、１０…断熱材、１０ａ…凸部、１１…ビス
【図１】
2010053619.tif 000003
【図２】
2010053619.tif 000004
【図３】
2010053619.tif 000005
【図４】
2010053619.tif 000006
【図５】
2010053619.tif 000007